(57)【要約】通信チャネルの線形歪みに対する変化を補正するように動的に変化するバースト通信信号のプリアンブル長。前等化係数が、ＣＭＴＳとの通信を前等化するネットワーク要素に提供される。一部通信を選択するのに長いプリアンブルが使われ、残りの通信信号に対して短いプリアンブルが使われる。歪み特性の変化が検出されると、影響を受けるネットワーク要素に対してステーション管理が行われ、新しい前等化係数が決定されて、ネットワーク要素に提供される。他の方法では、全ての通信は、長いプリアンブル長を有することもでき、ＣＭＴＳが新しい前等化係数を決定する間、通信が続けられることも可能となる。
2009528787.tif 000002
【特許請求の範囲】
【請求項１】
ネットワーク要素と通信する装置であって、
ネットワーク要素へ信号を送信することができる送信ユニットと、
前記ネットワーク要素から信号を受信することができる受信機ユニットと、
マイクロプロセッサであって、前記ネットワーク要素によって送信される信号と関連したプリアンブルの長さを調整して、前記ネットワーク要素によって送信される第１グループの通信信号に対して第１長さのプリアンブルを提供し、前記ネットワーク要素によって送信される第２グループの通信信号に対して第２長さのプリアンブルを提供するように構成されたマイクロプロセッサと、
を備え、
前記第１長さは前記第２長さより長い、装置。
【請求項２】
前記第１グループの通信信号は、ＩＭ及びＳＭバーストメッセージを含む、請求項１に記載の装置。
【請求項３】
前記第１グループの通信信号は、ＩＭバーストメッセージを含む、請求項１に記載の装置。
【請求項４】
影響を受けるネットワーク要素の通信で前記ネットワークの歪み特性の変化を判定するように構成された等化器ユニットを更に備える、請求項１に記載の装置。
【請求項５】
前記マイクロプロセッサは、歪み特性の変化が検出されると、ＳＭセッションが前記影響を受けるネットワーク要素に対してスケジューリングされるよう、命令するように構成される、請求項４に記載の装置。
【請求項６】
前記等化器ユニットは、ＳＭセッションの間に前等化係数を判定するように更に構成され、前記マイクロプロセッサは、前記影響を受けるネットワーク要素への前記前等化係数の送信を命令するように構成される、請求項５に記載の装置。
【請求項７】
前記マイクロプロセッサは、ＳＭセッションの間に、前記影響を受けるネットワーク要素に対するデータ承認の保留を命令するように構成される、請求項５に記載の装置。
【請求項８】
前記マイクロプロセッサは、前記影響を受けるネットワーク要素によって送信される全ての通信信号に対して第１長さのプリアンブルを提供するように構成される、請求項４に記載の装置。
【請求項９】
前記等化器ユニットは、前記第１長さのプリアンブルから前等化係数を判定するように更に構成され、前記マイクロプロセッサは、前記影響を受けるネットワーク要素への前記前等化係数の送信を命令するように構成される、請求項８に記載の装置。
【請求項１０】
歪み特性の変化は、前記等化器係数のタップにおけるエネルギーをモニタリングすることで判定される、請求項４に記載の装置。
【請求項１１】
歪み特性の変化は、変調エラー率の変化をモニタリングすることで判定される、請求項４に記載の装置。
【請求項１２】
歪み特性の変化は、マイクロ反射メトリックをモニタリングすることで判定される、請求項４に記載の装置。
【請求項１３】
前等化係数を使って前等化を行う、ネットワーク要素と通信する方法であって、
影響を受けるネットワーク要素と関連したネットワークの歪み特性が変化したかを判定するステップと、
前記歪み特性が変化していない場合、前記ネットワーク要素によって送信される第１グループの通信信号に対して第１長さのプリアンブルを提供し、前記ネットワーク要素によって送信される第２グループの通信信号に対して第２長さのプリアンブルを提供するステップと、
を備え、
前記第１長さは前記第２長さより長い、方法。
【請求項１４】
前記第１グループの通信信号は、ＩＭ及びＳＭバーストメッセージを含む、請求項１３に記載の方法。
【請求項１５】
前記第１グループの通信信号は、ＩＭバーストメッセージを含む、請求項１３に記載の方法。
【請求項１６】
歪み特性の変化が検出されると、ＳＭが前記影響を受けるネットワーク要素に対してスケジューリングされるように命令するステップを更に備える、請求項１３に記載の方法。
【請求項１７】
ＳＭセッションの間に新しい前等化係数を判定し、前記影響を受けるネットワーク要素に対して前記新しい前等化係数を提供するステップを更に含む、請求項１６に記載の方法。
【請求項１８】
ＳＭセッションの間に前記影響を受けるネットワーク要素に対するデータ承認を保留するステップを更に備える、請求項１６に記載の方法。
【請求項１９】
歪み特性の変化が検出されると、前記影響を受けるネットワーク要素によって送信される全ての通信信号に対して第１長さのプリアンブルを提供するステップを更に備え、
前記前等化係数は、前記第１長さのプリアンブルから判定される、請求項１３に記載の方法。
【請求項２０】
歪み特性の変化は、等化器係数のタップにおけるエネルギーをモニタリングすることで判定される、請求項１３に記載の方法。
【請求項２１】
歪み特性の変化は、変調エラー率の変化をモニタリングすることで判定される、請求項１３に記載の方法。
【請求項２２】
歪み特性の変化は、マイクロ反射メトリックをモニタリングすることで判定される、請求項１３に記載の方法。
【請求項２３】
前等化係数を使って前等化を行うネットワーク要素と通信する方法を行うコンピュータ用命令を含むコンピュータ読み取り可能な媒体であって、
前記方法は、
影響を受けるネットワーク要素と関連したネットワークの歪み特性が変化したかを判定するステップと、
前記歪み特性が変化していない場合、前記ネットワーク要素によって送信される第１グループの通信信号に対して第１長さのプリアンブルを提供し、前記ネットワーク要素によって送信される第２グループの通信信号に対して第２長さのプリアンブルを提供するステップと、
を備え、
前記第１長さは前記第２長さより長い、コンピュータ読み取り可能な媒体。
【請求項２４】
前記第１グループの通信信号は、ＩＭ及びＳＭバーストメッセージを含む、請求項２３に記載のコンピュータ読み取り可能な媒体。
【請求項２５】
前記第１グループの通信信号は、ＩＭバーストメッセージを含む、請求項２３に記載のコンピュータ読み取り可能な媒体。
【請求項２６】
歪み特性の変化が検出されると、ＳＭが前記影響を受けるネットワーク要素に対してスケジューリングされるように命令するステップを更に備える、請求項２３に記載のコンピュータ読み取り可能な媒体。
【請求項２７】
ＳＭセッションの間に新しい前等化係数を判定して、前記影響を受けるネットワーク要素に対して前記新しい前等化係数を提供するステップを更に含む、請求項２６に記載のコンピュータ読み取り可能な媒体。
【請求項２８】
ＳＭセッションの間に、前記影響を受けるネットワーク要素に対するデータ承認を保留するステップを更に備える、請求項２６に記載のコンピュータ読み取り可能な媒体。
【請求項２９】
歪み特性の変化が検出されると、前記影響を受けるネットワーク要素によって送信される全ての通信信号に対して第１長さのプリアンブルを提供するステップを行う命令を更に備え、前記前等化係数は、前記第１長さのプリアンブルから判定される、請求項２３に記載のコンピュータ読み取り可能な媒体。
【請求項３０】
歪み特性の変化は、等化係数のタップにおけるエネルギーをモニタリングすることで判定される、請求項２３に記載のコンピュータ読み取り可能な媒体。
【請求項３１】
歪み特性の変化は、変調エラー率の変化をモニタリングすることで判定される、請求項２３に記載のコンピュータ読み取り可能な媒体。
【請求項３２】
歪み特性の変化は、マイクロ反射メトリックをモニタリングすることで判定される、請求項２３に記載の媒体。
【発明の詳細な説明】
【技術分野】
【０００１】
本開示は、通信信号に用いられるプリアンブルの長さを適応化することに関する。より具体的に、本開示は、多様なバーストタイプの通信で用いられるプリアンブルの長さを適応化することに関する。
【背景技術】
【０００２】
一般に、データオーバーケーブルシステム（ＤＯＣＳＩＳ）標準による通信信号のリターン経路に存在する２種のタイプの等化：１）前等化及び２）後等化が存在する。後等化は、一般に、ケーブルモデム端末システム（ＣＭＴＳ）でのみ発生するプロセスをいう。後等化の間に、ＣＭＴＳは、初期等化器から始まる（例えば、１で始まるメイン等化器タップを除いては全て０）。その後、ＣＭＴＳは、（フィードバックプロセスを通じて）等化器係数を適応化／修正して、信号が衝突する線形歪みを補正する。信号の線形歪みは、ネットワーク要素（例えば、モデム）送信機、ケーブルプラント、又はＣＭＴＳ受信機から生じ得る。ＣＭＴＳは、何れのネットワーク要素からバーストがくるかにかかわらず、それぞれの新たなバーストの開始に先立って、等化器を初期値にリセットする。その結果、それぞれのバースト初期に多くの流入シンボルが、後等化器が適切に収束される前に度々受信され、例えば、大部分のケーブルプラントに対する適切な収束のために、１００個のシンボルが要求されることもある。収束に要求されるシンボルの数は、等化器がトレーニングされるシンボルの「白色度」及び信号に影響を及ぼす線形歪みの程度のようないくつかの要因に左右される。
【０００３】
ＤＯＣＳＩＳプロトコルは、オペレーターによって、後等化器がプリアンブルの間に収束を得られるように、プリアンブル長とプリアンブルシーケンスを構成することで、収束に要求される多数のシンボルを処理する。プリアンブル長が更に長ければ、アップストリームバーストのデータペイロード部分を実際に受信するに先立って、ＣＭＴＳ後等化器により良い収束を可能にする。それぞれのデータバーストに先立って、ＣＭＴＳは、後等化器をその初期値にリセットするため、オペレーターは、全てのデータタイプ、例えば、初期管理（ＩＭ）、ステーション管理（ＳＭ）、ショートデータ（ＳＤ）、ロングデータ（ＬＤ）、向上したショート（ＡＳ）、向上したロング（ＡＬ）、及び自発的承認サービス（ＵＧＳ）に対して更に長いプリアンブルを送信しなければならない。更に長いプリアンブルは、データパケットに更に高いオーバーヘッドをもたらし、ボイスオーバーインターネットプロトコル（ＶＯＩＰ）のような短いデータパケットに対して劇的な影響を与えることができる。また、後等化に対して全てのバーストは、データバーストを受信するに先立って、等化器が収束するように、更に長いプリアンブルで延長されなければならない。プリアンブルが延長されないと、データペイロードの開始の間に等化器は依然としてトレーニング（収束しようと試みること）していることもあり得、これは、データ送信の間にエラー発生の尤度を大きく増加させる。
【０００４】
前等化は、歪みを補正し訂正された通信信号を送信するために、モデム又はネットワーク要素に左右される。前等化は、ＣＭＴＳが所定のネットワーク要素に対する等化器係数を格納するように要求し、この係数をネットワーク要素へ送信する。そして、ネットワーク要素は、ＣＭＴＳによって受信された歪みを補正するようにする方式でその送信された信号を予め歪めることもできる。その結果、ネットワーク要素がその前等化器値を用いて送信しているとき、ＣＭＴＳは、その後等化器に対して歪みあってはならない（又は、少なくとも最小限でなければならない）。ＣＭＴＳは、周期的なレンジング要請の間にネットワーク要素ステーション管理バーストを使ってその等化器をトレーニングすることで、前等化値を得、その後、レンジング反応メッセージで正確な等化器値をネットワーク要素に更に送信する。良好な周期的レンジングが少なくとも毎３０秒の比率で発生することが要求され、一般に、１０〜２０秒の間で発生する。このため、前等化に対して、データＩＵＣ（１、５、６、９、１０、１１）は、短いプリアンブルを用いることができるが、レンジング間隔使用コード（ＩＵＣ）（３、４）プリアンブルは長くなければならず、これは、より低いオーバーヘッドをもたらす。
【０００５】
しかし、前等化と関連して、テレビ、ケーブルセットトップボックス又はケーブルモデムのような接続されたデバイスの電源がオン又はオフされるときのように歪みが変化するとき、システムは、３０秒後であり得る次のステーション管理間隔までこの変化に対して補正することができない。これは、３０秒相当のデータ送信が損失されることを意味し、これは、ＶｏＩＰ通話にとっては大問題である。逆に、後等化に対して、レンジングＩＵＣ（３、４）及びデータＩＵＣ（１、５、６、９、１０、１１）プリアンブルは全て長く、ＣＭＴＳによって、全てのバーストをリトレインするようになっている。これは、プラント内における歪み変化の場合、パケットが損失されないことを更に保障するが、全てのデータバーストに対する更に長いプリアンブルに起因してオーバーヘッドが更に大きくなる。
【発明の開示】
【課題を解決するための手段】
【０００６】
本発明に係るネットワーク要素と通信する装置は、ネットワーク要素へ信号を送信することができる送信ユニットと、ネットワーク要素から信号を受信することができる受信機ユニットと、ネットワーク要素によって送信される信号と関連したプリアンブルの長さを調整して、ネットワーク要素によって送信される第１グループの通信信号に対して第１長さのプリアンブルを提供し、ネットワーク要素によって送信される第２グループの通信信号に対して第２長さのプリアンブルを提供するように構成されたマイクロプロセッサとを含み、第１長さは、第２長さより長い。
【０００７】
本発明の装置によれば、第１グループの通信信号は、ＩＭ及び／又はＳＭバーストメッセージを含むことができる。
本発明の装置は、影響を受けるネットワーク要素の通信でネットワークの歪み特性の変化を判定するように構成された等化器ユニットを更に含むことができる。
【０００８】
本発明の装置によれば、マイクロプロセッサは、歪み特性の変化が検出されると、ＳＭが前記影響を受けるネットワーク要素に対してスケジューリングされるよう命令するように構成できる。
【０００９】
本発明の装置によれば、等化器ユニットは、ＳＭセッションの間に化係数を判定するように追加で構成でき、マイクロプロセッサは、影響を受けるネットワーク要素への前等化係数の送信を命令するように構成できる。
【００１０】
本発明の装置によれば、マイクロプロセッサは、ＳＭセッションの間に影響を受けるネットワーク要素に対するデータ承認の保留を命令するように構成できる。
本発明の装置によれば、前記マイクロプロセッサは、影響を受けるネットワーク要素によって、全ての通信信号に対して第１長さのプリアンブルを提供するように構成できる。
【００１１】
本発明の装置によれば、等化器ユニットは、第１長さのプリアンブルから化係数を判定するように追加で構成でき、マイクロプロセッサは、影響を受けるネットワーク要素への前等化係数の送信を命令するように構成できる。
【００１２】
本発明の装置によれば、歪み特性の変化は、等化器係数のタップにおけるエネルギーをモニタリングすることで判定でき、マイクロ反射メトリックをモニタリングすることで判定でき、又は変調エラー率の変化をモニタリングすることで判定できる。
【００１３】
本発明による化係数を使って前等化を行うネットワーク要素と通信する方法は、影響を受けるネットワーク要素と関連したネットワークの歪み特性が変化したかを判定するステップと、歪み特性が変化していないと、ネットワーク要素によって送信される第１グループの通信信号に対して第１長さのプリアンブルを提供し、ネットワーク要素によって送信される第２グループの通信信号に対して第２長さのプリアンブルを提供するステップとを含むことができ、第１長さは、第２長さより長い。
【００１４】
本方法によれば、第１グループの通信信号は、ＩＭ及び／又はＳＭバーストメッセージを含むことができる。
本方法は、歪み特性の変化が検出されると、ＳＭが影響を受けるネットワーク要素に対してスケジュールされるように命令するステップを更に含むことができる。
【００１５】
本方法は、ＳＭセッションの間に新しい前等化係数を判定し、影響を受けるネットワーク要素に対して新しい前等化係数を提供するステップを更に含むことができる。
本方法は、ＳＭセッションの間に影響を受けるネットワーク要素に対するデータ承認を保留するステップを更に含むことができる。
【００１６】
本方法は、歪み特性の変化が検出されると、影響を受けるネットワーク要素によって送信される全ての通信信号に対して第１長さのプリアンブルを提供するステップを更に含むことができ、前等化係数は、第１長さのプリアンブルから判定される。
【００１７】
本方法によれば、歪み特性の変化は、等化器係数のタップにおけるエネルギーをモニタリングすることで判定できる。
本発明によれば、歪み特性の変化は、変調エラー率の変化をモニタリングすることで判定できる。
【００１８】
本発明による前等化係数を使って前等化を行うネットワーク要素と通信する方法を行うコンピュータ用命令を含むコンピュータ読み取り可能な媒体であり、方法は、影響を受けるネットワーク要素と関連したネットワークの歪み特性が変化したかを判定するステップと、歪み特性が変化していないと、ネットワーク要素によって送信される第１グループの通信信号に対して第１長さのプリアンブルを提供し、ネットワーク要素によって送信される第２グループの通信信号に対して第２長さのプリアンブルを提供するステップとを含むことができ、第１長さは、第２長さより長い。
【００１９】
コンピュータ読み取り可能な媒体は、歪み特性の変化が検出されると、ＳＭが影響を受けるネットワーク要素に対してスケジュールされるように命令するステップを行う命令を更に含むことができる。
【００２０】
コンピュータ読み取り可能な媒体は、歪み特性の変化が検出されると、影響を受けるネットワーク要素によって送信される全ての通信信号に対して第１長さのプリアンブルを提供するようにする命令を更に含むことができ、前等化係数は、第１長さのプリアンブルから判定される。
【００２１】
等化問題に対するより良い対処法は、全体後等化の実現の過度なオーバーヘッドを発生させないで、複数秒間データを損失せずにこのようなタイプの歪み変動性により速かに反応することができるシステムで解決することである。本開示は、そのようなプロセスを概説する。
【発明を実施するための最良の形態】
【００２２】
図１は、複数のネットワーク要素１０（例えば、ケーブルモデム、セットトップボックス、セットトップボックスを備えたテレビ、又はＨＦＣネットワークのようなネットワーク上の任意の他の要素）がネットワークタップ１２を介してケーブルモデム端末システム（ＣＭＴＳ）に連結される例示的なネットワークを示す。当業者は、その各々が複数のネットワーク要素１０に連結される複数のネットワークタップ１２が存在し得ることが理解できる。
【００２３】
図２は、例示的なＣＭＴＳ１４の論理設計を示す。図２に示すように、ＣＭＴＳ１４は、ＲＡＭ１０６及びＲＯＭ１０４にアクセスすることができ、ネットワーク要素１２によって送信される通信信号と関連したプリアンブルの長さ及びＣＭＴＳ１４の動作を制御することができるプロセッシングユニット１００を含むことができる。プロセッシングユニット１００は、好ましくは、命令及びデータのような情報をＲＯＭ１０４又はＲＡＭ１０６から受信することができるマイクロプロセッサ１０２を含む。プロセッシングユニット１００は、好ましくは、ステーション管理（ＳＭ）が行われているか否か、又は、未登録の受信機がロードバランシングに適切か否かのような状態情報を表示することができる、ＣＲＴ又はＬＣＤディスプレイのようなディスプレイ１０８に連結される。また、入力キーパッド１１０がプロセッシングユニット１００に連結され、オペレーターによって、命令、プロセッシング要求及び／又はデータをプロセッサ１００に提供するようにすることもできる。
【００２４】
等化器１６は、好ましくは、複数のネットワークタップ１２を介して複数のネットワーク要素１０と双方向通信を提供する送信機／受信機（トランシーバ）ユニット２０と関連付けられる。当業者は、ＣＭＴＳ１４が複数のトランシーバ、例えば、８つのトランシーバを含むこともできることが理解できる。それぞれのトランシーバは、１００個以上のネットワーク要素を支援することもできる。ブロードコム（Ｂｒｏａｄｃｏｍ）３１４０受信機（トランシーバ）のようなトランシーバ２０は、好ましくは、等化器値及びバースト変調エラー率（ＭＥＲ）測定を取得するために使われる。それぞれの受信機２０の通信特徴は、ＲＯＭ１０４又はＲＡＭ１０６に格納でき、又はヘッドエンドのような外部ソースから提供されることもできる。また、ＲＡＭ１０４及び／又はＲＯＭ１０６は、マイクロプロセッサ１０２に対する命令を伝達して、図３の一部又は全部に示されるプロセスを行うこともできる。
【００２５】
図３は、ケーブルモデムのような例示的なネットワーク要素１０を示す。好ましくは、ネットワーク要素１０は、ＲＡＭ２０６及びＲＯＭ２０４と通信することができ、ＣＭＴＳ１４からの命令に従ってネットワーク要素によって送信される通信の前等化パラメータ及びプリアンブル長を含んで、ネットワーク要素の一般的な動作を制御するプロセッサ２０２を含む。
【００２６】
本発明の原理に従って、等化システムは、複数秒間データを損失せずにかつ全体後等化の実現において過度なオーバーヘッドを発生させないで、歪み変動性に速かに反応することができる。本発明は、後等化方法及び前等化方法の利点を提供する。
【００２７】
本発明は、次のようないくつかの仮定に左右される。
アクティブケーブルデータシステムは、ダウンストリーム及びアップストリーム経路上のサービス（ボイス、ビデオ、データ）を提供している。アップストリームは、チャネル周波数Ｘ上で活性化される。次の手続きは、それぞれのアクティブアップストリームチャネルに対して繰り返すことができる。
【００２８】
ブロードコム３１４０受信機のような受信機は、等化器値及びバースト変調エラー率（ＭＥＲ）測定を取得するために使用される。
好ましい実現形態において、アクティブチャネルは、トランシーバ２０によるアップストリームチャネルを介してサービスを提供する。好ましくは、システムアップストリームチャネルは、他の全てのバースト（ＲＥＱ、ＳＤ、ＬＤ、ＡＳ、ＡＬ、ＵＧＳ）に対するプリアンブル長が非常に短く（１００シンボル未満）、一方ＩＭ及びＳＭに対するプリアンブル長は長い（１００から３００シンボル）、最適化された前等化モードに対して構成される。好ましくは、等化値は、それぞれのネットワーク要素に伝達されて、前等化値として使われる。その結果、ＣＭＴＳによって行われる後等化は、追加的な等化をほとんど生成しないか、全く生成しない。ＩＭ及びＳＭ間隔のみ長いプリアンブルと共にロードされて、周期的なネットワーク要素アップデートを支援するため、このシステム構成は、低いオーバーヘッド及び効率的な動作をもたらす。
【００２９】
好ましくは、プリアンブル長は、アップストリームチャネルディスクリプタ（ＵＣＤ）によって決定される。好ましくは、プリアンブルは、繰り返されるシーケンス及び等化器トレーニング信号である部分で構成される。好ましくは、適切な等化器トレーニング信号は、等化器がバーストに適応化することを可能にするスペクトル品質を有する。等化器トレーニング信号は、一様にランダムな繰り返しデータ、例えば、白色データであり得る。好ましくは、長いプリアンブルは更に長い等化器トレーニング信号（例えば、約１００から約３００シンボル）を提供し、好ましくは、短いプリアンブルは更に短い等化器トレーニング信号（例えば、約１００シンボル以下）を提供する。
【００３０】
所定のアップストリームチャネルに対して、好ましくは、ＣＭＴＳは、図４に示すように、それぞれのネットワーク要素の歪み特性をモニタリングする。図４に示すように、ＣＭＴＳは、それぞれのケーブルネットワーク要素のようなそれぞれのネットワーク要素から受信された信号における歪み特性をモニタリングする（ステップＳ０及びＳ２）。好ましくは、歪み特性の変化は、ＣＭＴＳからの後等化係数をモニタリングすること、及び／又は変調エラー率（ＭＥＲ）における変化を検出することで検出できる。後等化係数をモニタリングすることに応じて、ケーブルプラントを補正する前等化器係数のセットとともにＣＭが送信する間、ＣＭＴＳは、その後等化器を適応化する。例えば、ＤＯＣＳＩＳ標準によって、他の全ての等化器タップのエネルギーの合計に対するメイン等化器タップのエネルギーの比率で定義されるマイクロ反射メトリックがモニタリングできる。ケーブルプラントが一定に維持されると、ネットワーク要素の前等化器は、リターン通信を適切に等化し、ＣＭＴＳ後等化器は、ほぼ理想的でなければならない（即ち、等化器係数のメインではないタップにはエネルギーがほとんどない）。逆に、ネットワーク要素前等化器が正確ではないように、プラントが変化すると、ＣＭＴＳ後等化器は、メインではないタップで相当なエネルギーを反射する。
【００３１】
更に、歪み特性の変化は、ＭＥＲにおける変化をモニタリングすることで検出できる。このような方法は、ＣＭＴＳがそれぞれのネットワーク要素に対してＭＥＲ値を保持することを要求する。ＭＥＲにおける突然の変化が検出されると、歪み特性が変化したと判定される。このような方法の１つの短所は、ＭＥＲ測定で反映されるが、線形歪みにおける変化に起因しない他の障害が、歪み特性における変化として検出されうるということである。このような障害は、インパルス及び流入雑音、そして非線形歪み効果を含む。これにより、第１トリガ方法論が選好され得る。
【００３２】
歪み特性が変化しないと（ステップＳ２、いいえ）、ＩＭ及びＳＭメッセージバーストに対してのみ長いプリアンブルが提供される（ステップＳ１）。（ＲＥＱ、ＳＤ、ＬＤ、ＡＳ、ＡＬ、ＵＧＳ）を含む他の全てのメッセージバーストに対しては短いプリアンブルが提供される。短いプリアンブルは、約１００シンボル未満であり、長いシンボルは、１００シンボルより長く、約３００シンボル長であり得る。
【００３３】
歪み特性が変化したら（ステップＳ２、はい）、ステーション管理（ＳＭ）セッションは、影響を受けるネットワーク要素に対してスケジュールされる（ステップＳ４）。ここで使われるＳＭセッションは、ＣＭＴＳがネットワーク要素に対するレンジングパラメータを調整する間の期間である。当業者は、レンジングが何れの地点で良好と表される十分な正確性が達成されるまで、ＣＭＴＳがレンジングパラメータ（電力、タイミング、周波数及び等化器係数を含む）に対する調整をネットワーク要素に引き続き送信するということが理解できる。ＳＭセッションの間に、好ましくは、ＣＭＴＳ後等化器は、新しいプラント特徴に完全に適応化する（ステップＳ６）。その後、ＣＭＴＳは、アップデートされた等化器係数をネットワーク要素に送信する（ステップＳ８）。一般に、このプロセスは、通常にプラント歪みがネットワークタップ位置に対して唯一であるとき、歪み変化を示していたネットワーク要素に対してのみ発生する必要がある。プラント内の他のネットワーク要素は、一般にこのような歪み変化を経験しない。
【００３４】
ＣＭＴＳスケジューラは、ステップＳ８で新しい等化器係数がネットワーク要素に提供されるまで、ステップＳ４の間に特定のネットワーク要素に対するデータ承認を保留することもできる。このような方式で、データ損失は、多くとも１つのデータパケット、即ち、初期プラント歪み変化が検出されたパケットで防止することができる。また、ステップＳ４〜Ｓ８におけるプロセスは、１００ミリ秒（ｍｓ）内に完了でき、サービスに対してオペレーターが検出可能な如何なる影響も有してはならない。
【００３５】
ステップＳ４の間にＳＭをスケジューリングし、データ承認を保留すること以外の方法として、ＵＣＤは、ＲＥＱ、ＳＤ、ＬＤ、ＡＳ、ＡＬ及びＵＧＳを含む全てのデータバーストに長いプリアンブルが付加されるように、直ちに変化される。プリアンブル長のこのような増加は、アップデートされた係数が影響を受けるネットワーク要素に送信されるまで、有効に維持できる。この方法の短所は、等化器アップデートがネットワーク要素に送信される間に約３０秒間（長いプリアンブルに起因して）チャネルの効率性を減少させるということである。しかし、この方法を使うデータ送信に対して、ネットワーク要素が保留されない。また、他のネットワーク要素がネットワークタップ上に存在して、プラント歪みにおけるこのような同様な変化によって影響を受けると、このような技法は、以前のプロセスによって要求され得る付加的なトリガイベントがなくても、それぞれのこのようなネットワーク要素に対するアップデートをもたらすことができる。
【００３６】
上記アルゴリズムは、システムアップストリームチャネルが最適の前等化動作モードに対して構成されているという仮定の下で動作した。逆に、非常に短いプリアンブルは、非常に短いプリアンブルを使うＲＥＱ、ＳＤ、ＬＤ、ＡＳ、ＡＬ及びＵＧＳバーストの外に、ＳＭ間に対しても使われるという条件下でＣＭＴＳが動作することもでき、これは、効率性における何らかの向上をもたらす。これは、ＣＭＴＳがＳＭバーストに対して長いプリアンブルを有する初期構成で開始し、等化器係数が前等化に使われるそれぞれのネットワーク要素に対して伝達されたときに用いられる。その結果、ＣＭＴＳによって行われる後等化は、付加的な等化をほとんど生成することができないか、又は、全く生成することができない。また、ステップＳ２でプラント歪みの変化が検出されると、好ましくは、ＵＣＤは、影響を受けるケーブルネットワーク要素に対するＳＭ間隔をスケジューリングするに先立って、長いプリアンブルがＳＭバースト上に用いられるように修正される。新しい等化器値がケーブルネットワーク要素に中継された後に、ＣＭＴＳは、ＵＣＤを更に短いプリアンブル値で再構成することもできる。
【００３７】
図４のプロセスは、配線のデバイス、プロセッサで動作されるソフトウェア又はファームウエアとして実現されることもできる。ソフトウェア又はファームウエア実現のためのプロセッシングユニットは、好ましくは、ＣＭＴＳに含まれる。図４に示す如何なるプロセスでも、マイクロプロセッサ１０２によって読むことができるコンピュータ読み取り可能な媒体上に含まれることができる。コンピュータ読み取り可能な媒体は、ＣＤディスク、ＤＶＤディスク、磁気又は光学ディスク、テープ、シリコン基盤の移動可能又は固定式メモリーを含み、有線又は無線送信信号をパケット化するか、又は、パケット化せずに、マイクロプロセッサによって行われる命令を運ぶことが可能な任意の媒体であり得る。
【００３８】
当業者は、本発明が、歪み変動性に速やかに反応する等化方法を提供しつつ、通信に対してオーバーヘッドを減少できるということが理解できる。大部分のタイプのデータ通信に対して短いプリアンブル形態によるオーバーヘッドの減少により、ネットワークを、コスト及び通信プロセッシングタイムの観点でより効率的にする。また、歪み変動性に対する速やかな反応によって、通信データの整合性が保たれる。
【図面の簡単な説明】
【００３９】
【図１】本発明の原理に従う例示的なネットワークを示す。
【図２】本発明の原理に従う例示的なＣＭＴＳ設計を示す。
【図３】本発明のＣＭＴＳと通信することができる例示的なネットワーク要素の設計を示す。
【図４】本発明の原理に従う例示的なプロセスを示す。
【図１】
2009528787.tif 000003
【図２】
2009528787.tif 000004
【図３】
2009528787.tif 000005
【図４】
2009528787.tif 000006
【国際調査報告】
2009528787.tif 000007